(57)【特許請求の範囲】
【請求項１】
モジュールを着脱可能とするインターフェースを有する伝送装置であって、
前記モジュールと前記インターフェースの間の伝送路とは別の、当該伝送路に相当し、所定のデータを送受信するモニタ用伝送路と、
前記モニタ用伝送路において送信および受信の設定値の組み合わせごとに前記所定のデータを送受信した際のエラーレートに基づいて、前記モニタ用伝送路の周囲環境に対応した送信および受信の設定値の組み合わせを判別する判別部と、
前記判別された送信および受信の設定値の組み合わせをもとに、前記インターフェースにおける送受信の設定を行う設定部と、
を有することを特徴とする伝送装置。
【請求項２】
前記判別部は、前記モニタ用伝送路における送信および受信の設定値の組み合わせの中で前記エラーレートがより低くなる組み合わせを、前記伝送路の周囲環境に対応した送信および受信の設定値の組み合わせと判別する
請求項１に記載の伝送装置。
【請求項３】
前記設定部は、前記インターフェースに装着されたモジュールの種別を判別し、当該判別された種別に基づいて前記インターフェースにおける送受信の設定を行う
請求項１又は２に記載の伝送装置。
【請求項４】
前記設定部は、前記判別された送信および受信の設定値の組み合わせに基づいた前記インターフェースにおける送受信の設定で当該インターフェースを介して前記モジュールと送受信した際のエラーレートに基づいて、前記インターフェースにおける送受信の設定を調整する
請求項１乃至３のいずれか一項に記載の伝送装置。
【請求項５】
前記モジュールと処理部との送受信を中継する中継部を更に備え、
前記設定部は、前記判別された送信および受信の設定値の組み合わせをもとに、前記モジュールと前記中継部との間のインターフェースと、前記中継部と前記処理部との間のインターフェースとの送受信の設定を行う
請求項１乃至４のいずれか一項に記載の伝送装置。
【請求項６】
モジュールを着脱可能とするインターフェースと、
前記インターフェースの伝送路とは別の、当該伝送路に相当し、所定のデータを送受信するモニタ用伝送路と、
前記モニタ用伝送路において送信および受信の設定値の組み合わせごとに前記所定のデータを送受信した際のエラーレートに基づいて、前記伝送路の周囲環境に対応した送信および受信の設定値の組み合わせを判別する判別部と、
前記判別された送信および受信の設定値の組み合わせをもとに、前記インターフェースにおける送受信の設定を行う設定部と、
を有することを特徴とするラインカード。
【請求項７】
所定のデータを送受信する伝送路を有する伝送装置が、
前記伝送路とは別の、当該伝送路に相当し、所定のデータを送受信するモニタ用伝送路において送信および受信の設定値の組み合わせごとに前記所定のデータを送受信した際のエラーレートに基づいて、前記伝送路の周囲環境に対応した送信および受信の設定値の組み合わせを判別し、
前記判別された送信および受信の設定値の組み合わせをもとに、モジュールを着脱可能とするインターフェースにおける送受信の設定を行う
処理を実行することを特徴とする制御方法。
【発明の詳細な説明】
【技術分野】
【０００１】
本発明の実施形態は、伝送装置、ラインカードおよび制御方法に関する。
【背景技術】
【０００２】
近年、伝送装置においては、インターネット等のトラフィックの増大等に伴って、データの大容量化、装置の小型化・低コスト化が望まれている。この要求実現のため、伝送距離及び内部機能等のサポート状況に応じた多種・多様の光プラガブルモジュール（以下、モジュールとよぶ）がある。伝送装置は、装置内の各ラインカード上に所定のモジュールを搭載することで、要求される仕様に対応している。このモジュールには様々な伝送レートのインターフェースが適用され、このインターフェースを介してラインカードでのデータ伝送が行われる。
【０００３】
図１１、図１２は、ラインカードの従来例（１）、（２）を説明するブロック図である。図１１に示すように、ラインカード６００は、ＣＦＰモジュール６０１（ＣＰＦ：100G  Form-Factor  Pluggable）と、フレーマ部６０２と、電気インターフェース６０３と、カード制御部６０４と、接続コネクタ６０５とを有する。ラインカード６００は、２個のＣＦＰモジュール６０１により１００Ｇｂｐｓ×２ポート相当の伝送容量を有している。ＣＦＰモジュール６０１において外部より入力された信号は、電気インターフェース６０３を介してフレーマ部６０２内部にて処理される。ここで、電気インターフェース６０３は、ＯＴＵ（Optical  Transport  Unit）４レート時において、１１．１８Ｇｂｐｓ×１０レーンの構成となっている。
【０００４】
図１２に示すように、ラインカード７００は、ＣＦＰ２モジュール７０１と、フレーマ部７０２と、ギアボックス７０３と、電気インターフェース７０４と、電気インターフェース７０５と、カード制御部７０６と、接続コネクタ７０７とを有する。ラインカード７００もラインカード６００と同様、２個のＣＦＰ２モジュール７０１により１００Ｇｂｐｓ×２ポート相当の伝送容量を有する。また、ラインカード７００には、ＣＦＰ２モジュール７０１とフレーマ部７０２との間には、２８Ｇｂｐｓ×４レーンを１１．１８Ｇｂｐｓ×１０レーンにするギアボックス７０３が設けられている。ＣＦＰ２モジュール７０１において外部より入力された信号は、２８Ｇｂｐｓ×４レーンの電気インターフェース７０４を介してギアボックス７０３に入力された後、ギアボックス７０３より１１．１８Ｇｂｐｓ×１０レーンの電気インターフェース７０５を介してフレーマ部７０２に伝送される。
【０００５】
ラインカード６００の電気インターフェース６０３およびラインカード７００の電気インターフェース７０４、７０５においては、ビットエラー発生を回避するため、送信デバイス（例えばラインカード６００におけるＣＦＰモジュール６０１等）および受信デバイス（例えばラインカード６００におけるフレーマ部６０２等）の特性最適化が必要となる。この特性最適化は、送信デバイス特性、受信デバイス特性、送信デバイスと受信デバイスとの間の伝送路特性をモデル化し、そのモデルを使用したシミュレーション等により、送信デバイスおよび受信デバイスの設定値を決定する。例えば、送信デバイスの設定値としては、送信出力の振幅値、Ｐｒｅ／Ｐｏｓｔ−Ｅｍｐｈａｓｉｓ値などがある。また、受信デバイスの設定値としては、Ｅｑｕａｌｉｚｅｒ  Ｇａｉｎ値などがある。
【０００６】
上述したシミュレーションにより導出された送信デバイスの設定値および受信デバイスの設定値は、実際に送信デバイスおよび受信デバイスに設定してエラーレートを確認する等の実機検証にて妥当性が確認される。そして、妥当性が確認された後、ラインカード６００、７００に設定して運用することにより、ラインカード６００、７００ではビットエラー発生を防ぎ、安定した信号疎通を実現している。
【先行技術文献】
【特許文献】
【０００７】
【特許文献１】特開２０１０−３４７７７号公報
【発明の概要】
【発明が解決しようとする課題】
【０００８】
ところで、送信デバイスと受信デバイスとの間の伝送路特性は、伝送路における温度・湿度などの外部（周囲）環境により変化する。図１３は、伝送路特性を説明する説明図である。図１３における縦軸は、伝送路損失の大きさ（Magnitude）を示している。また、横軸は、伝送時の周波数（Frequency）であり、伝送路における伝送速度（伝送レート）を示している。また、グラフＧ１、Ｇ２は、互いに異なる外部環境における伝送路特性（伝送速度−伝送路損失）を示している。
【０００９】
図１３に示すように、周波数Ｆ１、Ｆ２におけるグラフＧ１、Ｇ２の値は異なっており、外部環境が異なることで、伝送路特性は変化する。また、伝送速度の高速化（周波数Ｆ１→周波数Ｆ２）に伴い、伝送路損失は大幅に劣化し、外部環境の変化による伝送路特性の変化は拡大する。
【００１０】
このように、伝送速度の高速化に伴い、伝送路損失が大幅に劣化することから、送信デバイスの設定値および受信デバイスの設定値の許容範囲（エラーフリーとなる範囲）は狭くなる。また、伝送速度の高速化に伴い、外部環境の変化による伝送路特性の変化が拡大することから、外部環境の変化が送信デバイスの設定値および受信デバイスの設定値に与える影響は大きくなる。よって、外部環境の変化によるビットエラー発生を防ぐためには、外部環境をモニタ（監視）し、外部環境の変化に応じた送信デバイスの設定値および受信デバイスの設定値を設定する必要がある。
【００１１】
しかしながら、外部環境の変化は、温度・湿度の変化だけでなく、装置内のファン制御による風速変化（冷却効果の変化）、ラインカード６００、７００内の温度分布変化など、要因が多数ある。したがって、これらの要因の全てを温度センサ、湿度センサ…などの多数のセンサで監視し、それらのセンサより得られた値をもとに送信デバイスの設定値および受信デバイスの設定値を設定することは容易なことではなかった。このように、外部環境の変化をトータル的に監視し、外部環境の変化に応じて送信デバイスの設定値および受信デバイスの設定値を設定することでビットエラー発生を防ぎ、安定した信号疎通を実現することは困難なことであった。
【００１２】
一つの側面では、安定した信号疎通を実現可能とする。
【課題を解決するための手段】
【００１３】
一つの態様では、伝送装置は、モジュールを着脱可能とするインターフェースを有する伝送装置であって、モニタ用伝送路と、判定部と、設定部とを有する。モニタ用伝送路は、モジュールとインターフェースの間の伝送路とは別の、当該伝送路に相当し、所定のデータを送受信する。判定部は、モニタ用伝送路において送信および受信の設定値の組み合わせごとに所定のデータを送受信した際のエラーレートに基づいて、伝送路の外部環境に対応した送信および受信の設定値の組み合わせを判別する。設定部は、判別された送信および受信の設定値の組み合わせをもとに、インターフェースにおける送受信の設定を行う。
【発明の効果】
【００１４】
一つの側面として、安定した信号疎通を実現できる。
【図面の簡単な説明】
【００１５】
【図１】図１は、第１の実施形態にかかる伝送装置の構成を例示するブロック図である。
【図２】図２は、第１の実施形態にかかるラインカードの構成を例示するブロック図である。
【図３】図３は、第１の実施形態にかかるラインカードの動作の一例を示すフローチャート（１）である。
【図４】図４は、モニタ用伝送路の特性情報を説明する説明図である。
【図５】図５は、第１の実施形態にかかるラインカードの動作の一例を示すフローチャート（２）である。
【図６】図６は、モジュール種別ごとのパラメータ変換テーブルを説明する説明図である。
【図７】図７は、第２の実施形態にかかるラインカードの構成を例示するブロック図である。
【図８】図８は、第２の実施形態にかかるラインカードの動作の一例を示すフローチャートである。
【図９】図９は、第３の実施形態にかかる伝送装置の構成を例示するブロック図である。
【図１０】図１０は、プログラムを実行するインターフェース装置の一例を説明する説明図である。
【図１１】図１１は、ラインカードの従来例（１）を説明するブロック図である。
【図１２】図１２は、ラインカードの従来例（２）を説明するブロック図である。
【図１３】図１３は、伝送路特性を説明する説明図である。
【発明を実施するための形態】
【００１６】
以下、図面を参照して、実施形態にかかる伝送装置、ラインカードおよび制御方法を説明する。実施形態において同一の機能を有する構成には同一の符号を付し、重複する説明は省略する。なお、以下の実施形態で説明する伝送装置、ラインカードおよび制御方法は、一例を示すに過ぎず、実施形態を限定するものではない。また、以下の各実施形態は、矛盾しない範囲内で適宜組みあわせてもよい。
【００１７】
（第１の実施形態）
図１は、第１の実施形態にかかる伝送装置１００の構成を例示するブロック図である。図１に示すように、伝送装置１００は、バックボード（ＢＷＢ、バックワイヤーボード）のコネクタ（図示しない）に接続することで、装置内に複数のラインカード１を収容する構成である。
【００１８】
ラインカード１は、例えば、ＣＦＰモジュール１０Ａ、１０Ｂの２つのモジュールを実装可能としている。具体的には、ラインカード１は、ＣＦＰモジュール１０Ａにかかる構成としてフレーマ部２０Ａ、電気インターフェース３０Ａおよびモニタ用伝送路４０Ａを有する。また、ラインカード１は、ＣＦＰモジュール１０Ｂにかかる構成としてフレーマ部２０Ｂ、電気インターフェース３０Ｂおよびモニタ用伝送路４０Ｂを有する。また、ラインカード１は、動作の制御を行うカード制御部５０と、バックボードと接続する接続コネクタ６０とを有する。
【００１９】
なお、２つのＣＦＰモジュール１０Ａ、１０Ｂにかかる構成は、互いに同等の構成である。よって、特に区別して説明する場合を除き、ＣＦＰモジュール１０、フレーマ部２０、電気インターフェース３０およびモニタ用伝送路４０として説明する。
【００２０】
ＣＦＰモジュール１０とフレーマ部２０との間は、１１．１８Ｇｂｐｓ×１０レーンの電気インターフェース３０を介して着脱可能に接続され、ＣＦＰモジュール１０を装着した際には電気インターフェース３０を介してデータの送受信が可能となっている。フレーマ部２０は、電気インターフェース３０を介してＣＦＰモジュール１０より入力される電気信号からフレーム同期を取ることで電気信号に対するフレーム単位の所定の処理を行う。
【００２１】
また、フレーマ部２０には、外部環境をモニタ（監視）する為、所定のデータを送受信するモニタ用伝送路４０が接続されている。このモニタ用伝送路４０には、ＣＦＰモジュール１０とフレーマ部２０との間の電気インターフェース３０に相当する、パタン配線長・ロス媒体・反射媒体を挿入してもよい。ＣＦＰモジュール１０およびフレーマ部２０は、カード制御部５０と接続され、カード制御部５０による制御が実施される。
【００２２】
図２は、第１の実施形態にかかるラインカード１の構成を例示するブロック図である。なお、図２では、ＣＦＰモジュール１０およびフレーマ部２０における１ポート分を例示している。図２に示すように、ＣＦＰモジュール１０は、ＣＦＰ処理部１０１、送信部１０２、受信部１０３およびコントローラ１０４を有する。
【００２３】
ＣＦＰ処理部１０１は、１００Ｇｂｐｓポートの光インターフェース７０を介したデータの送受信を処理する。具体的には、ＣＦＰ処理部１０１は、光インターフェース７０を介して受信したデータを送信部１０２へ出力する。また、ＣＦＰ処理部１０１は、受信部１０３より受信したデータを光インターフェース７０を介して外部へ出力する。
【００２４】
また、ＣＦＰ処理部１０１は、検出部１０１１を有する。検出部１０１１は、受信部１０３の受信状態（例えば受信強度など）および受信品質（例えばビットエラーなど）を検出する。検出部１０１１は検出した受信状態および受信品質をコントローラ１０４へ出力する。
【００２５】
送信部１０２は、ＣＦＰ処理部１０１から出力されたデータを電気信号に変換し、電気インターフェース３０を介してフレーマ部２０へ送信する。また、送信部１０２は、コントローラ１０４を介したカード制御部５０の制御のもと、送信出力の振幅値（Ｖｏｄ）、Ｐｒｅ／Ｐｏｓｔ−Ｅｍｐｈａｓｉｓ（以下、Ｅｍｐｈａｓｉｓと表記する）値などの、フレーマ部２０へ電気信号を送信する際の設定が行われる。
【００２６】
受信部１０３は、電気インターフェース３０からの電気信号を受信してデータに変換し、ＣＦＰ処理部１０１へ出力する。また、受信部１０３は、コントローラ１０４を介したカード制御部５０の制御のもと、Ｅｑｕａｌｉｚｅｒ  Ｇａｉｎ（以下、ＥｑｕａｌｉｚｅｒまたはＥＱと表記する）値などの、電気インターフェース３０からの電気信号を受信する際の設定が行われる。
【００２７】
コントローラ１０４は、ＣＦＰ処理部１０１、送信部１０２および受信部１０３の監視・制御を行う。例えば、コントローラ１０４は、検出部１０１１が検出した受信状態および受信品質をカード制御部５０へ出力する。また、コントローラ１０４は、カード制御部５０から通知された送信出力の振幅値（Ｖｏｄ）、Ｅｍｐｈａｓｉｓ値を送信部１０２に設定する。また、コントローラ１０４は、カード制御部５０から通知されたＥｑｕａｌｉｚｅｒ値を受信部１０３に設定する。
【００２８】
フレーマ部２０は、受信部２０１、送信部２０２、フレーマ処理部２０３およびコントローラ２０４を有し、ＣＦＰモジュール１０によるデータの送受信を処理する。また、フレーマ部２０は、モニタ制御部２０５、テストパターン生成部２０６、フレーム生成部２０７、送信部２０８、受信部２０９、フレーム同期部２１０およびエラー検出部２１１を有し、モニタ用伝送路４０に所定のデータを送受信させる。
【００２９】
受信部２０１は、電気インターフェース３０からの電気信号を受信してデータに変換し、フレーマ処理部２０３へ出力する。また、受信部２０１は、コントローラ２０４を介したカード制御部５０の制御のもと、Ｅｑｕａｌｉｚｅｒ値などの、電気インターフェース３０からの電気信号を受信する際の設定が行われる。
【００３０】
送信部２０２は、フレーマ処理部２０３から出力されたデータを電気信号に変換し、電気インターフェース３０を介してＣＦＰモジュール１０へ送信する。また、送信部２０２は、コントローラ２０４を介したカード制御部５０の制御のもと、送信出力の振幅値（Ｖｏｄ）、Ｅｍｐｈａｓｉｓ値などの、ＣＦＰモジュール１０へ電気信号を送信する際の設定が行われる。
【００３１】
フレーマ処理部２０３は、電気インターフェース３０を介したＣＦＰモジュール１０から受信したデータに対してフレーム同期を取ることでフレーム単位の所定の処理を行う。また、フレーマ処理部２０３は、電気インターフェース３０を介してＣＦＰモジュール１０へ送信するデータのフレーム生成などの処理を行う。
【００３２】
また、フレーマ処理部２０３は、検出部２０３１を有する。検出部２０３１は、受信部２０１の受信状態（例えば受信強度など）および受信品質（例えばビットエラーなど）を検出する。検出部２０３１は検出した受信状態および受信品質をコントローラ２０４へ出力する。
【００３３】
コントローラ２０４は、受信部２０１、送信部２０２およびフレーマ処理部２０３の監視・制御を行う。例えば、コントローラ２０４は、検出部２０３１が検出した受信状態および受信品質をカード制御部５０へ出力する。また、コントローラ２０４は、カード制御部５０から通知された送信出力の振幅値（Ｖｏｄ）、Ｅｍｐｈａｓｉｓ値を送信部２０２に設定する。また、コントローラ２０４は、カード制御部５０から通知されたＥｑｕａｌｉｚｅｒ値を受信部２０１に設定する。
【００３４】
モニタ制御部２０５は、モニタ用伝送路４０における所定のデータの送受信を制御する。具体的には、モニタ制御部２０５は、テストパターン生成部２０６に対して所定のテストパターンの生成を指示して、そのテストパターンを含むデータをモニタ用伝送路４０を介して送受信させる。また、モニタ制御部２０５は、カード制御部５０より受信した情報をもとに、送信部２０８、受信部２０９の設定を行う。また、モニタ制御部２０５は、テストパターン生成部２０６で生成されたテストパターンをモニタ用伝送路４０で送受信させた際に、エラー検出部２１１により検出される情報をカード制御部５０へ出力する。
【００３５】
テストパターン生成部２０６は、モニタ用伝送路４０に伝送するデータの発生源であり、モニタ制御部２０５の制御のもと、所定のテストパターンを生成してフレーム生成部２０７へ出力する。フレーム生成部２０７は、テストパターン生成部２０６より出力されたテストパターンを含むフレームを生成して送信部２０８へ出力する。具体的には、フレーム生成部２０７は、テストパターン生成部２０６より出力されたテストパターンにフレーム同期用のパターンを付加してフレームを生成する。
【００３６】
送信部２０８は、フレーム生成部２０７から出力されたデータ（フレーム）を電気信号に変換し、モニタ用伝送路４０を介して受信部２０９へ送信する。また、送信部２０８は、モニタ制御部２０５を介したカード制御部５０の制御のもと、送信出力の振幅値（Ｖｏｄ）、Ｅｍｐｈａｓｉｓ値などの送信時の設定が行われる。
【００３７】
受信部２０９は、モニタ用伝送路４０からの電気信号を受信してデータ（フレーム）に変換し、フレーム同期部２１０へ出力する。また、受信部２０９は、モニタ制御部２０５を介したカード制御部５０の制御のもと、Ｅｑｕａｌｉｚｅｒ値などの受信時の設定が行われる。
【００３８】
フレーム同期部２１０は、受信部２０９で受信したフレームに含まれるフレーム同期用のパターンに基づいて、フレーム同期を行う。エラー検出部２１１は、同期の確認が行われたフレームに含まれるテストパターンのエラーチェックを行い、ビットエラーなどのエラーの有無を検出する。このエラー検出部２１１におけるエラーチェックは、フレーム内のＦＣＳ（Frame  Check  Sequence）等によるものの他、テストパターン生成部２０６が生成した既知のテストパターンとの比較によるものであってもよい。エラー検出部２１１は、ビットエラーなどのエラーの有無の情報を検出結果としてモニタ制御部２０５へ出力する。
【００３９】
カード制御部５０は、送信部５０１、受信部５０２、最適値判定部５０３、最適値設定部５０４およびメモリ５０５を有する。
【００４０】
送信部５０１は、最適値判定部５０３より出力された送信部２０８および受信部２０９に設定する設定値をモニタ制御部２０５へ送信する。送信部２０８に設定する設定値は、例えば、送信出力の振幅値（Ｖｏｄ）、Ｅｍｐｈａｓｉｓ値などである。また、受信部２０９へ設定する設定値は、例えば、Ｅｑｕａｌｉｚｅｒ値などである。
【００４１】
受信部５０２は、モニタ制御部２０５より出力された情報を受信して最適値判定部５０３へ出力する。例えば、モニタ制御部２０５より受信部５０２に出力される情報は、テストパターンをモニタ用伝送路４０で送受信させた際に、エラー検出部２１１で検出された情報などである。
【００４２】
最適値判定部５０３は、モニタ用伝送路４０における送信および受信の設定値の組み合わせ、すなわち送信部２０８および受信部２０９に設定する設定値の組み合わせを決めてモニタ制御部２０５へ通知する。そして、最適値判定部５０３は、通知した設定値でモニタ用伝送路４０においてデータを送受信した際にエラー検出部２１１で検出された情報をもとに、モニタ用伝送路４０の周囲環境に対応した送信および受信の設定値の組み合わせを判別する。具体的には、最適値判定部５０３は、送信部２０８および受信部２０９に設定する設定値の組み合わせごとに、エラー検出部２１１で検出されたビットエラーなどのエラーの有無の情報をもとにエラーレートを求める。そして、最適値判定部５０３は、モニタ用伝送路４０でデータを送受信した際のエラーレートをより低くする送信部２０８および受信部２０９に設定する設定値の組み合わせ、すなわち最適値（最適点）の組み合わせを判別する。
【００４３】
最適値設定部５０４は、最適値判定部５０３により判別された最適値の組み合わせをもとに、電気インターフェース３０における送受信の設定を行う。具体的には、最適値設定部５０４は、判別された送信部２０８および受信部２０９の設定値を、電気インターフェース３０の送受信の設定に変換するための変換テーブル（図６参照）をもとに変換する。これにより、最適値判定部５０３は、ＣＦＰモジュール１０の送信部１０２および受信部１０３の設定値と、フレーマ部２０の受信部２０１および送信部２０２の設定値を得る。そして、最適値設定部５０４は、ＣＦＰモジュール１０からフレーマ部２０へデータを送信するための送信部１０２および受信部２０１の設定値を、コントローラ１０４、２０４を介して送信部１０２および受信部２０１に通知する。また、最適値設定部５０４は、フレーマ部２０からＣＦＰモジュール１０へデータを送信するための受信部１０３および送信部２０２の設定値を、コントローラ１０４、２０４を介して受信部１０３および送信部２０２に通知する。
【００４４】
メモリ５０５は、送信部２０８および受信部２０９の設定値を電気インターフェース３０の送受信の設定に変換するための変換テーブルなど、各種情報を記憶する。
【００４５】
図３は、第１の実施形態にかかるラインカード１の動作の一例を示すフローチャート（１）である。具体的には、最適値判定部５０３において最適値の組み合わせを判別する処理の詳細を示すフローチャートである。このフローチャートは、所定の時間間隔で周期的に実行されてもよいし、モニタ用伝送路４０の周囲環境の変化に合わせて最新の最適値の組み合わせが得られるよう、最適値判定部５０３において逐次実行されてもよい。
【００４６】
図３に示すように、処理が開始されると、モニタ制御部２０５にて所定のテストパターンをフレームに挿入するための挿入設定が行われる（Ｓ１）。具体的には、モニタ制御部２０５は、テストパターン生成部２０６に対して所定のテストパターンの生成を指示する。これにより、モニタ用伝送路４０では、テストパターンを含むフレームが送受信されることとなる。
【００４７】
次いで、最適値判定部５０３は、モニタ用伝送路４０における送受信の設定値（送信部２０８および受信部２０９に設定する設定値の組み合わせ）を決定する（Ｓ２）。例えば、送信部２０８のＥｍｐｈａｓｉｓ値の許容設定範囲が（ａ〜ｋ）であり、受信部２０９のＥＱ値の許容設定範囲が（Ａ〜Ｋ）であるものとする。この場合、最適値判定部５０３は、（ａ〜ｋ）のＥｍｐｈａｓｉｓ値の一つと、（Ａ〜Ｋ）のＥＱ値の一つの組み合わせを決定する。一例として、Ｅｍｐｈａｓｉｓ値＝ａ、ＥＱ値＝Ａの組み合わせを決定する。
【００４８】
次いで、最適値判定部５０３は、Ｓ２で決定したモニタ用伝送路４０における送受信の設定値をモニタ用伝送路４０における送受信の特性パラメータとして設定する（Ｓ３）。具体的には、最適値判定部５０３は、決定した組み合わせにおけるＥｍｐｈａｓｉｓ値を送信部２０８に設定し、ＥＱ値を受信部２０９に設定する。これにより、モニタ用伝送路４０では、設定されたＥｍｐｈａｓｉｓ値およびＥＱ値でテストパターンを含むフレームの送受信が行われることとなる。
【００４９】
次いで、最適値判定部５０３は、エラー検出部２１１で検出されたビットエラーなどのエラーの有無の情報をもとにエラーレートを求めるため、所定時間の待ち処理を行う（Ｓ４）。具体的には、最適値判定部５０３は、ＢＥＲ（ビットエラーレート）≦１Ｅ−１２を監視可能な時間待つ。
【００５０】
次いで、最適値判定部５０３は、エラー検出部２１１で検出された情報をもとに、設定されたＥｍｐｈａｓｉｓ値およびＥＱ値でテストパターンを含むフレームの送受信をモニタ用伝送路４０で行った際のエラーを検出する（Ｓ５）。このエラー検出を待ち処理の間継続することで、最適値判定部５０３は、ビットエラーレートを求める。
【００５１】
次いで、最適値判定部５０３は、モニタ用伝送路４０の特性確認が完了したか否かを判定する（Ｓ６）。具体的には、最適値判定部５０３は、送信部２０８および受信部２０９の許容設定範囲における全ての設定値の組み合わせでビットエラーレートを取得したか否かを判定する。
【００５２】
モニタ用伝送路４０の特性確認が完了していない場合（Ｓ６：ＮＯ）、送信部２０８および受信部２０９の許容設定範囲内の設定値の組み合わせでビットエラーレートを取得していない組み合わせがあることから、最適値判定部５０３はＳ２へ処理を戻す。例えば、Ｅｍｐｈａｓｉｓ値＝ａ、ＥＱ値＝Ａの組み合わせのビットエラーレートを取得済である場合は、残りの組み合わせのビットエラーレートを取得するため、Ｓ２に処理が戻る。そして、Ｓ２に再び処理が戻った場合、最適値判定部５０３は、別の組み合わせとして、例えば、Ｅｍｐｈａｓｉｓ値＝ａ、ＥＱ値＝Ｂを決定し、処理を継続する。このＳ２〜Ｓ６の処理を継続することで、最適値判定部５０３は、送信部２０８および受信部２０９の許容設定範囲における全ての設定値の組み合わせのビットエラーレートを取得する。
【００５３】
モニタ用伝送路４０の特性確認が完了した場合（Ｓ６：ＹＥＳ）、最適値判定部５０３は、モニタ用伝送路４０の最適点を判別する（Ｓ７）。具体的には、最適値判定部５０３は、送信部２０８および受信部２０９の設定値の全ての組み合わせで取得したエラーレートの中で、よりエラーレートをより低くする（例えば最小値とする）組み合わせを最適値（最適点）と判別する。
【００５４】
図４は、モニタ用伝送路４０の特性情報Ｄ１を説明する説明図である。図４に示すように、特性情報Ｄ１は、送信部２０８の許容設定範囲（Ｅｍｐｈａｓｉｓ：ａ〜ｋ）および受信部２０９の許容設定範囲（ＥＱ：Ａ〜Ｋ）の組み合わせごとのエラーレートの情報である。最適値判定部５０３は、Ｓ２〜Ｓ６の処理を繰り返すことで、特性情報Ｄ１を取得する。
【００５５】
この特性情報Ｄ１における組み合わせごとのエラーレートの関係は、モニタ用伝送路４０における周囲環境に追従したものとなる。具体的には、温度・湿度だけでなく、装置内のファン制御による冷却効果、装置内の温度分布など、様々な要因を総合したモニタ用伝送路４０における周囲環境によりモニタ用伝送路４０の送受信における特性が変化する。この特性の変化によって、エラーレートが１Ｅ−１２である範囲Ｒ２、エラーレートがＮｏ  Ｅｒｒｏｒである範囲Ｒ１などの大きさや位置は変動し、周囲環境に相当するものとなる。
【００５６】
よって、Ｓ７では、モニタ用伝送路４０における周囲環境に合った、送信部２０８および受信部２０９の設定値が判別されることとなる。例えば、エラーレートが１Ｅ−１２である範囲Ｒ２よりもエラーレートが低くなる範囲Ｒ１のＥｍｐｈａｓｉｓ値、ＥＱ値をモニタ用伝送路４０における周囲環境に合った最適値と判別する。さらに、範囲Ｒ１の中の中央値（Ｅｍｐｈａｓｉｓ：ｇ、ＥＱ：Ｆ）を最適値とし、最適値の絞り込みを行ってもよい。
【００５７】
また、最適値判定部５０３は、モニタ用伝送路４０で特性確認を行って最適値の組み合わせを求めることで、ＣＦＰモジュール１０とフレーマ部２０との間の電気インターフェース３０での特性確認を省くことができる。例えば、電気インターフェース３０で特性確認を行う場合は、主信号のエラーレートとしてＢＥＲ≦１Ｅ−１２を満たすことが必須であり、１条件の確認に長い監視時間が必要となる。そして、１条件の確認中において、ＢＥＲ≦１Ｅ−１２を満たさない条件だった場合、主信号の送受信に影響が生じてしまう。よって、システム運用上、短時間での設定は困難なものとなる。しかしながら、最適値判定部５０３は、モニタ用伝送路４０で特性確認を行って最適値の組み合わせを求めるため、ＣＦＰモジュール１０とフレーマ部２０との間の主信号へ影響がなく、システム運用中に実施できる。
【００５８】
図５は、第１の実施形態にかかるラインカード１の動作の一例を示すフローチャート（２）である。具体的には、最適値設定部５０４において電気インターフェース３０における送受信の設定を行う処理の詳細を示すフローチャートである。このフローチャートは、例えば、ラインカード１の稼働時に最適値設定部５０４において逐次実行される。
【００５９】
図５に示すように、処理が開始されると、最適値設定部５０４は、電気インターフェース３０を介した通信などにより、ＣＦＰモジュール１０の搭載の有無を判定する（Ｓ１０）。例えば、ＣＦＰ−ＭＳＡ（ＭＳＡ：Multi-Source  Agreement）の規定では、モジュール搭載判定用のリムーブ信号のサポートがある。よって、最適値設定部５０４は、電気インターフェース３０を介した通信においてリムーブ信号の状態を確認することで、ＣＦＰモジュール１０の搭載の有無を判定できる。ＣＦＰモジュール１０が未搭載である場合、最適値設定部５０４は処理を待機する。
【００６０】
ＣＦＰモジュール１０が搭載されている場合、最適値設定部５０４は、ＣＦＰモジュール１０との通信などにより、ＣＦＰモジュール１０のモジュール種別を判別する（Ｓ１１）。具体的には、最適値設定部５０４は、ＣＦＰモジュール１０よりＰｈｙｓｉｃａｌ  Ｉｎｖｅｎｔｏｒｙ情報を収集する。そして、最適値設定部５０４は、収集したＰｈｙｓｉｃａｌ  Ｉｎｖｅｎｔｏｒｙ情報をもとに、ＣＦＰモジュール１０のモジュール種別を判別する。
【００６１】
次いで、最適値設定部５０４は、最適値判定部５０３により判別された最適値の組み合わせをもとに、ＣＦＰモジュール１０のモジュール種別に従った電気インターフェース３０における送受信の設定値を反映する（Ｓ１２）。具体的には、最適値設定部５０４は、メモリ５０５に記憶された変換テーブルを参照し、最適値判定部５０３により判別された最適値の組み合わせから、ＣＦＰモジュール１０のモジュール種別に従った送信部１０２、２０２、受信部１０３および受信部２０１の設定値を得る。そして、最適値設定部５０４は、得られた設定値を送信部１０２、２０２、受信部１０３および受信部２０１に設定する。
【００６２】
図６は、モジュール種別ごとのパラメータ変換テーブルＤ２を説明する説明図である。図６に示すように、パラメータ変換テーブルＤ２は、最適値判定部５０３により判別された最適値（モニタ最適値）の組み合わせから、モジュールの種別（ＴｙｐｅＡ〜ＴｙｐｅＺ）に従った送受信の設定値（Ｅｍｐｈａｓｉｓ、ＥＱ）を得るためのテーブルデータである。メモリ５０５には、上述したパラメータ変換テーブルＤ２が予め記憶されている。
【００６３】
最適値設定部５０４は、メモリ５０５に記憶されたパラメータ変換テーブルＤ２を参照することで、モニタ用伝送路４０の周囲環境に対応した電気インターフェース３０における送受信の設定値（Ｅｍｐｈａｓｉｓ、ＥＱ）を得ることができる。例えば、最適値判定部５０３より判別されたモニタ最適値が「Ｅｍｐｈａｓｉｓ：ｇ、ＥＱ：Ｆ」であり、モジュールの種別が「ＴｙｐｅＡ」であるものとする。この場合、最適値設定部５０４は、パラメータ変換テーブルＤ２を参照することで、モニタ最適値「Ｅｍｐｈａｓｉｓ：ｇ、ＥＱ：Ｆ」−モジュールの種別「ＴｙｐｅＡ」に該当するＥｍｐｈａｓｉｓ、ＥＱを得る。より具体的には、最適値設定部５０４は、送信部１０２、２０２、受信部１０３および受信部２０１におけるＥｍｐｈａｓｉｓ、ＥＱを得る。
【００６４】
次いで、最適値設定部５０４は、送信部１０２、２０２、受信部１０３および受信部２０１を信号疎通状態に設定する（Ｓ１３）。これにより、ラインカード１は、モニタ用伝送路４０における周囲環境に応じて電気インターフェース３０における送受信の設定が行われていることから、ビットエラー発生を防いだ、安定した信号疎通を実現できる。また、電気インターフェース３０における送受信の設定はモジュールの種別に応じたものであることから、ラインカード１は、様々なモジュールを装着する場合であっても、安定した信号疎通を実現できる。
【００６５】
次いで、最適値設定部５０４は、電気インターフェース３０における送受信の設定で実際にＣＦＰモジュール１０と送受信した際のエラーレートに基づいて、電気インターフェース３０における送受信の設定を調整する処理（Ｓ１４〜Ｓ２１）を行う。
【００６６】
具体的には、最適値設定部５０４は、ＣＦＰモジュール１０の検出部１０１１の検出結果を取得して、ＣＦＰモジュール１０側でのエラーの有無を確認する（Ｓ１４）。ＣＦＰモジュール１０側でのエラーが確認できない場合（Ｓ１４：Ｎｏ  Ｅｒｒｏｒ）、最適値設定部５０４はＳ１８へ処理を進める。ＣＦＰモジュール１０側でのエラーが確認できた場合（Ｓ１４：BIT  Error検出）、最適値設定部５０４は、ラインカード１からＣＦＰモジュール１０方向にデータを伝送する際のエラーを検出する（Ｓ１５）。
【００６７】
ラインカード１からＣＦＰモジュール１０方向への伝送についてのエラーであることから、パラメータ（設定値）の調整対象は受信部１０３および送信部２０２である。よって、最適値設定部５０４は、受信部１０３および送信部２０２のパラメータの微調整と、再度ＣＦＰモジュール１０側でのエラー有無の確認とを行う（Ｓ１６）。例えば、パラメータの微調整は、Ｓ１２における受信部１０３および送信部２０２の設定値を中央値とした所定幅内の値への調整である。Ｓ１６において、最適値設定部５０４は、上述した所定幅内で値を逐次変動させてＣＦＰモジュール１０側でのエラー有無を確認する。
【００６８】
次いで、最適値設定部５０４は、Ｓ１６におけるエラー有無の確認において、エラー無しとなる設定値が検出された場合、その設定値を受信部１０３および送信部２０２に通知して反映する（Ｓ１７）。
【００６９】
Ｓ１４、Ｓ１７に次いで、最適値設定部５０４は、フレーマ部２０の検出部２０３１の検出結果を取得して、ラインカード１側でのエラーの有無を確認する（Ｓ１８）。ラインカード１側でのエラーが確認できない場合（Ｓ１８：Ｎｏ  Ｅｒｒｏｒ）、最適値設定部５０４は処理を終了する。ラインカード１側でのエラーが確認できた場合（Ｓ１８：BIT  Error検出）、最適値設定部５０４は、ＣＦＰモジュール１０からラインカード１方向にデータを伝送する際のエラーを検出する（Ｓ１９）。
【００７０】
ＣＦＰモジュール１０からラインカード１方向への伝送についてのエラーであることから、パラメータ（設定値）の調整対象は送信部１０２および受信部２０１である。よって、最適値設定部５０４は、送信部１０２および受信部２０１のパラメータの微調整と、再度ラインカード１側でのエラー有無の確認とを行う（Ｓ２０）。例えば、パラメータの微調整は、Ｓ１２における送信部１０２および受信部２０１の設定値を中央値とした所定幅内の値への調整である。Ｓ２０において、最適値設定部５０４は、上述した所定幅内で値を逐次変動させてラインカード１側でのエラー有無を確認する。
【００７１】
次いで、最適値設定部５０４は、Ｓ２０におけるエラー有無の確認において、エラー無しとなる設定値が検出された場合、その設定値を送信部１０２および受信部２０１に通知して反映する（Ｓ２１）。
【００７２】
上述したＳ１４〜Ｓ２１の処理により、ラインカード１は、電気インターフェース３０における送受信の設定を微調整することで、より安定した信号疎通を実現できる。
【００７３】
（第２の実施形態）
図７は、第２の実施形態にかかるラインカード１Ａの構成を例示するブロック図である。図７に示すように、ラインカード１Ａは、第１の実施形態にかかるラインカード１のＣＦＰモジュール１０をＣＦＰ２モジュール１１に変更した構成に相当する。具体的には、ラインカード１Ａは、ＣＦＰ２モジュール１１との送受信を中継するギアボックス８０を有する。ＣＦＰ２モジュール１１とギアボックス８０との間は、２８Ｇｂｐｓ×４レーンの電気インターフェース３１を介して着脱可能に接続される。また、ギアボックス８０とフレーマ部２０との間は、１１．１８Ｇｂｐｓ×１０レーンの電気インターフェース３２を介して接続される。なお、図７では、ＣＦＰ２モジュール１１、ギアボックス８０およびフレーマ部２０における１ポート分を例示している。
【００７４】
ＣＦＰ２モジュール１１は、ＣＦＰ２処理部１１１、送信部１１２、受信部１１３およびコントローラ１１４を有し、ＣＦＰモジュール１０と略同じ構成である。ギアボックス８０は、２８Ｇｂｐｓ×４レーンを１１．１８Ｇｂｐｓ×１０レーンにする。具体的には、ギアボックス８０は、受信部８０１、送信部８０２、ギアボックス処理部８０３、コントローラ８０４、送信部８０５および受信部８０６を有する。
【００７５】
受信部８０１は、電気インターフェース３１からの電気信号を受信してデータに変換し、ギアボックス処理部８０３へ出力する。また、受信部８０１は、コントローラ８０４を介したカード制御部５０の制御のもと、Ｅｑｕａｌｉｚｅｒ値などの、電気インターフェース３１からの電気信号を受信する際の設定が行われる。
【００７６】
送信部８０２は、ギアボックス処理部８０３から出力されたデータを電気信号に変換し、電気インターフェース３１を介してＣＦＰ２モジュール１１へ送信する。また、送信部８０２は、コントローラ８０４を介したカード制御部５０の制御のもと、送信出力の振幅値（Ｖｏｄ）、Ｅｍｐｈａｓｉｓ値などの、ＣＦＰモジュール１０へ電気信号を送信する際の設定が行われる。
【００７７】
ギアボックス処理部８０３は、２８Ｇｂｐｓ×４レーンと、１１．１８Ｇｂｐｓ×１０レーンとの間の変換処理を行う。具体的には、ギアボックス処理部８０３は、受信部８０１からのデータを変換して送信部８０５へ出力する。また、ギアボックス処理部８０３は、受信部８０６からのデータを変換して送信部８０２へ出力する。
【００７８】
また、ギアボックス処理部８０３は、エラーチェッカー８０３１、８０３２を有する。エラーチェッカー８０３１は、受信部８０１の受信状態（例えば受信強度など）および受信品質（例えばビットエラーなど）を検出する。エラーチェッカー８０３１は検出した受信状態および受信品質をコントローラ８０４へ出力する。また、エラーチェッカー８０３２は、受信部８０６の受信状態（例えば受信強度など）および受信品質（例えばビットエラーなど）を検出する。エラーチェッカー８０３２は検出した受信状態および受信品質をコントローラ８０４へ出力する。
【００７９】
コントローラ８０４は、送信部２０８、送信部８０２、ギアボックス処理部８０３、送信部８０５および受信部８０６の監視・制御を行う。例えば、コントローラ８０４は、エラーチェッカー８０３１、８０３２が検出した受信状態および受信品質をカード制御部５０へ出力する。また、コントローラ８０４は、カード制御部５０から送信部８０２または送信部８０５宛に通知された送信出力の振幅値（Ｖｏｄ）、Ｅｍｐｈａｓｉｓ値をそれぞれに設定する。また、コントローラ８０４は、カード制御部５０から受信部８０１または受信部８０６に通知されたＥｑｕａｌｉｚｅｒ値をそれぞれに設定する。
【００８０】
送信部８０５は、ギアボックス処理部８０３から出力されたデータを電気信号に変換し、電気インターフェース３２を介してフレーマ部２０へ送信する。また、送信部８０５は、コントローラ８０４を介したカード制御部５０の制御のもと、送信出力の振幅値（Ｖｏｄ）、Ｅｍｐｈａｓｉｓ値などの、フレーマ部２０へ電気信号を送信する際の設定が行われる。
【００８１】
受信部８０６は、電気インターフェース３２からの電気信号を受信してデータに変換し、ギアボックス処理部８０３へ出力する。また、受信部８０６は、コントローラ８０４を介したカード制御部５０の制御のもと、Ｅｑｕａｌｉｚｅｒ値などの、電気インターフェース３２からの電気信号を受信する際の設定が行われる。
【００８２】
ここで、最適値設定部５０４における電気インターフェース３１、３２の送受信の設定について詳細に説明する。図８は、第２の実施形態にかかるラインカード１Ａの動作の一例を示すフローチャートである。
【００８３】
図８に示すように、Ｓ１０〜Ｓ１３については第１の実施形態と同様の処理が行われる。具体的には、処理が開始されると、最適値設定部５０４は、ＣＦＰ２モジュール１１との通信などにより、ＣＦＰ２モジュール１１の搭載の有無を判定する（Ｓ１０）。ＣＦＰ２モジュール１１が未搭載である場合、最適値設定部５０４は処理を待機する。ＣＦＰ２モジュール１１が搭載されている場合、最適値設定部５０４は、ＣＦＰ２モジュール１１との通信などにより、ＣＦＰ２モジュール１１のモジュール種別を判別する（Ｓ１１）。
【００８４】
次いで、最適値設定部５０４は、最適値判定部５０３により判別された最適値の組み合わせをもとに、ＣＦＰ２モジュール１１のモジュール種別に従った電気インターフェース３１、３２における送受信の設定値を反映する（Ｓ１２）。
【００８５】
具体的には、最適値設定部５０４は、パラメータ変換テーブルＤ２を参照することで、最適値判定部５０３により判別された最適値の組み合わせから、ＣＦＰ２モジュール１１のモジュール種別に従った送受信の設定値を得る。例えば、送信部１１２、８０２、８０５、２０２、受信部１１３、８０１、８０６、２０１の設定値を得る。そして、最適値設定部５０４は、得られた設定値を送信部１１２、８０２、８０５、２０２、受信部１１３、８０１、８０６、２０１に設定する。
【００８６】
これにより、ラインカード１Ａでは、モニタ用伝送路４０における周囲環境に応じてＣＦＰ２モジュール１１、ギアボックス８０およびフレーマ部２０における送受信の設定が行われることから、電気インターフェース３１、３２でビットエラー発生を防いだ、安定した信号疎通を実現できる。
【００８７】
次いで、最適値設定部５０４は、電気インターフェース３１、３２における送受信の設定で実際にＣＦＰ２モジュール１１と送受信した際のエラーレートに基づいて、電気インターフェース３１、３２における送受信の設定を調整する処理（Ｓ３０〜Ｓ４５）を行う。
【００８８】
具体的には、最適値設定部５０４は、ＣＦＰ２モジュール１１の検出部１１１１の検出結果を取得して、ＣＦＰ２モジュール１１側でのエラーの有無を確認する（Ｓ３０）。ＣＦＰ２モジュール１１側でのエラーが確認できない場合（Ｓ３０：Ｎｏ  Ｅｒｒｏｒ）、最適値設定部５０４はＳ３４へ処理を進める。ＣＦＰ２モジュール１１側でのエラーが確認できた場合（Ｓ３０：BIT  Error検出）、最適値設定部５０４は、ギアボックス８０からＣＦＰ２モジュール１１方向にデータを伝送する際のエラーを検出する（Ｓ３１）。
【００８９】
ギアボックス８０からＣＦＰ２モジュール１１方向への伝送についてのエラーであることから、パラメータ（設定値）の調整対象は受信部１１３および送信部８０２である。よって、最適値設定部５０４は、受信部１１３および送信部８０２のパラメータの微調整と、再度ＣＦＰ２モジュール１１側でのエラー有無の確認とを行う（Ｓ３２）。例えば、パラメータの微調整は、Ｓ１２における受信部１１３および送信部８０２の設定値を中央値とした所定幅内の値への調整である。Ｓ３２において、最適値設定部５０４は、上述した所定幅内で値を逐次変動させてＣＦＰ２モジュール１１側でのエラー有無を確認する。
【００９０】
次いで、最適値設定部５０４は、Ｓ３２におけるエラー有無の確認において、エラー無しとなる設定値が検出された場合、その設定値を受信部１１３および送信部８０２に通知して反映する（Ｓ３３）。
【００９１】
Ｓ３０、Ｓ３３に次いで、最適値設定部５０４は、ギアボックス８０のエラーチェッカー８０３１の検出結果を取得して、ギアボックス８０側でのエラーの有無を確認する（Ｓ３４）。ギアボックス８０側でのエラーが確認できない場合（Ｓ３４：Ｎｏ  Ｅｒｒｏｒ）、最適値設定部５０４はＳ３８へ処理を進める。ギアボックス８０側でのエラーが確認できた場合（Ｓ３４：BIT  Error検出）、最適値設定部５０４は、ＣＦＰ２モジュール１１からギアボックス８０方向にデータを伝送する際のエラーを検出する（Ｓ３５）。
【００９２】
ＣＦＰ２モジュール１１からギアボックス８０方向への伝送についてのエラーであることから、パラメータ（設定値）の調整対象は送信部１１２および受信部８０１である。よって、最適値設定部５０４は、送信部１１２および受信部８０１のパラメータの微調整と、再度ギアボックス８０側でのエラー有無の確認とを行う（Ｓ３６）。例えば、パラメータの微調整は、Ｓ１２における送信部１１２および受信部８０１の設定値を中央値とした所定幅内の値への調整である。Ｓ３６において、最適値設定部５０４は、上述した所定幅内で値を逐次変動させてギアボックス８０側でのエラー有無を確認する。
【００９３】
次いで、最適値設定部５０４は、Ｓ３６におけるエラー有無の確認において、エラー無しとなる設定値が検出された場合、その設定値を送信部１１２および受信部８０１に通知して反映する（Ｓ３７）。
【００９４】
Ｓ３４、Ｓ３７に次いで、最適値設定部５０４は、フレーマ部２０の検出部２０３１の検出結果を取得して、ラインカード１Ａ側でのエラーの有無を確認する（Ｓ３８）。ラインカード１Ａ側でのエラーが確認できない場合（Ｓ３８：Ｎｏ  Ｅｒｒｏｒ）、最適値設定部５０４はＳ４２へ処理を進める。ラインカード１Ａ側でのエラーが確認できた場合（Ｓ３８：BIT  Error検出）、最適値設定部５０４は、ギアボックス８０からラインカード１Ａ方向にデータを伝送する際のエラーを検出する（Ｓ３９）。
【００９５】
ギアボックス８０からラインカード１Ａ方向への伝送についてのエラーであることから、パラメータ（設定値）の調整対象は送信部８０５および受信部２０１である。よって、最適値設定部５０４は、送信部８０５および受信部２０１のパラメータの微調整と、再度ラインカード１Ａ側でのエラー有無の確認とを行う（Ｓ４０）。例えば、パラメータの微調整は、Ｓ１２における送信部８０５および受信部２０１の設定値を中央値とした所定幅内の値への調整である。Ｓ４０において、最適値設定部５０４は、上述した所定幅内で値を逐次変動させてラインカード１Ａ側でのエラー有無を確認する。
【００９６】
次いで、最適値設定部５０４は、Ｓ４０におけるエラー有無の確認において、エラー無しとなる設定値が検出された場合、その設定値を送信部８０５および受信部２０１に通知して反映する（Ｓ４１）。
【００９７】
Ｓ３８、Ｓ４１に次いで、最適値設定部５０４は、ギアボックス８０のエラーチェッカー８０３２の検出結果を取得して、ギアボックス８０側でのエラーの有無を確認する（Ｓ４２）。ギアボックス８０側でのエラーが確認できない場合（Ｓ４２：Ｎｏ  Ｅｒｒｏｒ）、最適値設定部５０４は処理を終了する。ギアボックス８０側でのエラーが確認できた場合（Ｓ４２：BIT  Error検出）、最適値設定部５０４は、ラインカード１Ａからギアボックス８０方向にデータを伝送する際のエラーを検出する（Ｓ４３）。
【００９８】
ラインカード１Ａからギアボックス８０方向への伝送についてのエラーであることから、パラメータ（設定値）の調整対象は受信部８０６および送信部２０２である。よって、最適値設定部５０４は、受信部８０６および送信部２０２のパラメータの微調整と、再度ギアボックス８０側でのエラー有無の確認とを行う（Ｓ４４）。例えば、パラメータの微調整は、Ｓ１２における受信部８０６および送信部２０２の設定値を中央値とした所定幅内の値への調整である。Ｓ４４において、最適値設定部５０４は、上述した所定幅内で値を逐次変動させてギアボックス８０側でのエラー有無を確認する。
【００９９】
次いで、最適値設定部５０４は、Ｓ４４におけるエラー有無の確認において、エラー無しとなる設定値が検出された場合、その設定値を受信部８０６および送信部２０２に通知して反映する（Ｓ４５）。
【０１００】
上述したＳ３０〜Ｓ４５の処理により、ラインカード１Ａは、電気インターフェース３１、３２における送受信の設定を微調整することで、より安定した信号疎通を実現できる。
【０１０１】
（第３の実施形態）
図９は、第３の実施形態にかかる伝送装置１００Ａの構成を例示するブロック図である。図９に示すように、伝送装置１００Ａは、ラインカード１と接続する監視制御ユニット２側で電気インターフェース３０の送受信にかかる設定を行う構成である。
【０１０２】
具体的には、伝送装置１００Ａは、接続コネクタ６１と、監視制御部３とを有する監視制御ユニット２が接続コネクタ６１を介してラインカード１と接続する構成である。監視制御部３は、送信部５０１、受信部５０２、最適値判定部５０３、最適値設定部５０４およびメモリ５０５を有し、カード制御部５０と同様に電気インターフェース３０の送受信を行う。このように、電気インターフェース３０の設定は外部のユニットが行ってもよい。また、モニタ用伝送路４０についても、接続コネクタ６０と接続コネクタ６１とを接続する伝送路などで代用してもよい。
【０１０３】
ところで、本実施形態で説明した各種の処理は、予め用意されたプログラムをインターフェース装置で実行することで実現できる。そこで、以下では、上記実施形態と同様の機能を有するプログラムを実行するインターフェース装置の一例を説明する。図１０は、プログラムを実行するインターフェース装置３００の一例を示す説明図である。
【０１０４】
図１０に示すように、インターフェース装置３００では、ＲＯＭ３１０、ＲＡＭ３２０、ＣＰＵ３３０及びインターフェース３４０を有する。
【０１０５】
ＲＯＭ３１０には、上記実施形態と同様の機能を発揮するプログラム３１０Ａが予め記憶されている。尚、ＲＯＭ３１０ではなく、図示せぬドライブで読取可能な記録媒体にプログラム３１０Ａが記録されていてもよい。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でもよい。また、プログラム３１０Ａについては、適宜統合又は分散してもよい。
【０１０６】
ＣＰＵ３３０は、プログラム３１０ＡをＲＯＭ３１０から読み出し、読み出されたプログラム３１０Ａを実行する。そして、ＣＰＵ３３０は、プログラム３１０Ａを、プロセス３３０Ａとして機能する。プロセス３３０Ａは、前述した最適値判定部５０３、最適値設定部５０４と同等の機能を提供する。
【０１０７】
また、モジュールは、ＣＦＰ、ＣＦＰ２などの実施形態に限定するものではなく、ＳＦＰ(Small  Form-Factor  Pluggable)、ＸＦＰ(10G  Small  Form-Factor  Pluggable)などであってもよい。また、電気インターフェース３０、３１、３２の送受信にかかるデバイス（例えばＣＦＰ処理部１０１、２０２、受信部１０３および受信部２０１）、伝送レートについても実施形態に限定するものではない。電気または光伝送における様々なデバイス・伝送レートに対応することが可能である。
【符号の説明】
【０１０８】
１００…伝送装置
１…ラインカード
２…監視制御ユニット
１０…ＣＦＰモジュール
１１…ＣＦＰ２モジュール
２０…フレーマ部
３０、３１、３２…電気インターフェース
４０…モニタ用伝送路
５０…カード制御部
８０…ギアボックス
５０３…最適値判定部
５０４…最適値設定部
５０５…メモリ
Ｄ１…特性情報
Ｄ２…パラメータ変換テーブル
【図１】
0006464691.tif 000002
【図２】
0006464691.tif 000003
【図３】
0006464691.tif 000004
【図４】
0006464691.tif 000005
【図５】
0006464691.tif 000006
【図６】
0006464691.tif 000007
【図７】
0006464691.tif 000008
【図８】
0006464691.tif 000009
【図９】
0006464691.tif 000010
【図１０】
0006464691.tif 000011
【図１１】
0006464691.tif 000012
【図１２】
0006464691.tif 000013
【図１３】
0006464691.tif 000014